(57)【要約】【課題】  表示部内の素子に共通に設けられた電極に接続された配線で生じる熱をより均一にすることができる表示装置を提供する。【解決手段】  表示部１の周囲の複数の辺に設けられている配線５のうち、配線５を流れる電流量が最も多い辺（Ｄ辺）に設けられている配線の単位長さあたりの抵抗値は、他の辺に設けられている配線の単位長さあたりの抵抗値よりも小さい。【選択図】  図１
2009277985.tif 000002
【特許請求の範囲】
【請求項１】
基板と、
前記基板の上に設けられており、複数の発光素子により形成されている表示部と、
前記表示部の周囲において前記表示部の１辺に設けられている端子と、
前記表示部の周囲において前記表示部の複数の辺に設けられている配線と、を有し、
各発光素子は、前記基板の上に設けられている薄膜トランジスタと、前記薄膜トランジスタに接続されており、発光素子毎に独立して設けられている第１電極と、前記第１電極の上に形成されている発光層と、前記発光層の上に形成されており、前記発光素子の間を跨いで表示部内の複数の前記発光素子に連続して設けられている第２電極と、を有し、
前記配線は、前記第２電極及び前記端子に接続されている表示装置において、
前記複数の辺に設けられている配線のうち、配線を流れる電流量が最も多い辺に設けられている配線の単位長さあたりの抵抗値は、他の辺に設けられている配線の単位長さあたりの抵抗値よりも小さいことを特徴とする表示装置。
【請求項２】
前記配線を流れる電流量が最も多い辺は、前記端子が設けられている辺であることを特徴とする請求項１に記載の表示装置。
【請求項３】
前記配線を流れる電流量が最も多い辺に設けられている配線の幅は、他の辺に設けられている配線の幅よりも広いことを特徴とする請求項１又は請求項２に記載の表示装置。
【請求項４】
前記配線を流れる電流量が最も多い辺に設けられている配線の厚みは、他の辺に設けられている配線の厚みよりも厚いことを特徴とする請求項１乃至請求項３のいずれか１項に記載の表示装置。
【請求項５】
前記配線を流れる電流量が最も多い辺に設けられている配線の層数は、他の辺に設けられている配線の層数よりも多いことを特徴とする請求項４に記載の表示装置。
【請求項６】
前記配線を流れる電流量が最も多い辺に設けられている配線の材料の抵抗率は、他の辺に設けられている配線の材料の抵抗率よりも低いことを特徴とする請求項１乃至請求項５のいずれか１項に記載の表示装置。
【請求項７】
前記配線を流れる電流量が最も多い辺に設けられている配線における前記第２電極との接触面積は、他の辺に設けられている配線における前記第２電極との接触面積よりも大きいことを特徴とする請求項１乃至請求項６のいずれか１項に記載の表示装置。
【請求項８】
表示部内の前記複数の発光素子の間に形成されている第２の配線を更に有し、
前記第２の配線の幅は、前記表示部の周囲に形成されている配線の幅よりも狭いことを特徴とする請求項１乃至請求項７のいずれか１項に記載の表示装置。
【請求項９】
前記配線を流れる電流量が多い辺に設けられている配線ほど、単位長さあたりの抵抗値が小さいことを特徴とする請求項１乃至請求項８のいずれか１項に記載の表示装置。
【請求項１０】
前記発光素子は有機ＥＬ素子であることを特徴とする請求項１乃至請求項９のいずれか１項に記載の表示装置。
【請求項１１】
基板と、
前記基板の上に設けられており、複数の発光素子により形成されている表示部と、
前記表示部の周囲において前記表示部の１辺に設けられている端子と、
前記表示部の周囲において前記表示部の複数の辺に設けられている配線と、を有し、
各発光素子は、前記基板の上に設けられている薄膜トランジスタと、前記薄膜トランジスタに接続されており、発光素子毎に独立して設けられている第１電極と、前記第１電極の上に形成されている発光層と、前記発光層の上に形成されており、前記発光素子の間を跨いで表示部内の複数の前記発光素子に連続して設けられている第２電極と、を有し、
前記配線は、前記第２電極及び前記端子に接続されている表示装置において、
前記複数の辺に設けられている配線のうち、前記端子が設けられている辺に設けられている配線の単位長さあたりの抵抗値は、他の辺に設けられている配線の単位長さあたりの抵抗値よりも小さいことを特徴とする表示装置。
【発明の詳細な説明】
【技術分野】
【０００１】
本発明は、発光素子を表示部に有する表示装置に関するものである。
【背景技術】
【０００２】
近年、ＥＬ素子がＴＦＴ（薄膜トランジスタ）を有する基板の上にマトリクス状に配置されたアクティブマトリクス型有機ＥＬ表示装置が注目されている。画素を構成するＥＬ素子は陽極と陰極に有機層が挟まれたサンドイッチ構造をしており、少なくとも一方の電極から有機層で発光した光が取り出されるようになっている。例えば、陰極を基板とは反対側に設けられた、光の取り出し側の電極とした場合、陰極は透明導電材によって構成され、ＥＬ素子の間を跨いで全てのＥＬ素子に共通に形成される。さらに、陰極は、パネル端子部と電気的に接続され、陰極の電圧を設定できるようになっている。
【０００３】
陰極が全てのＥＬ素子に共通に形成された透明な電極であるため、陰極が有する電気抵抗によって陰極面内での電圧差が生じ、その結果発光の輝度ムラに繋がる問題がある。特許文献１では、陰極に印加される電圧の低減を防止するために、表示画素領域の周辺に陰極とコンタクトホールを介して接続される配線（共通配線）を設け、配線を端子部と接続している（図４）。
【特許文献１】特開２００１−１０２１６９号公報
【発明の開示】
【発明が解決しようとする課題】
【０００４】
表示領域の周囲に設けられる配線（共通配線）は、低抵抗な材料を用いることで陰極面内での電圧差を低減することができる。配線に低抵抗な材料を用いるとその分陰極を流れる電流が集中することになるが、端子は一般的には表示領域の一辺に設けられ、端子に向かって電流が流れるため、電流の集中の程度は表示領域の周囲のなかでも端子の位置との関係で異なる。つまり、端子のある辺に設けられた配線には、他の辺に設けられた配線に比べてさらに電流が集中することになる。
【０００５】
特許文献１に示されているＥＬ表示装置では、端子のある辺を含む３辺に配線が設けられているが、幅、厚み、材料等については記載されておらず、図面では一様に設けられている。そのため、端子のある辺に設けられている配線では電流が集中し、発熱が大きくなる。そのため、電圧ムラを低減できたとしても、熱のムラによって表示領域内での素子の劣化にムラが生じてしまう。このような発熱による発光素子への影響は、特に発光素子が有機ＥＬ素子である場合に顕著である。
【０００６】
そこで、本発明は、表示領域内の素子に共通に設けられた電極に接続された配線で生じる熱をより均一にすることができる表示装置を提供することを目的とする。
【課題を解決するための手段】
【０００７】
本発明は上記課題を鑑みてなされ、上記目的は以下の構成によって達成される。
【０００８】
即ち、本発明に係る表示装置は、
基板と、
前記基板の上に設けられており、複数の発光素子により形成されている表示部と、
前記表示部の周囲において前記表示部の１辺に設けられている端子と、
前記表示部の周囲において前記表示部の複数の辺に設けられている配線と、を有し、
各発光素子は、前記基板の上に設けられている薄膜トランジスタと、前記薄膜トランジスタに接続されており、発光素子毎に独立して設けられている第１電極と、前記第１電極の上に形成されている発光層と、前記発光層の上に形成されており、前記発光素子の間を跨いで表示部内の複数の前記発光素子に連続して設けられている第２電極と、を有し、
前記配線は、前記第２電極及び前記端子に接続されている表示装置であって、
前記複数の辺に設けられている配線のうち、配線を流れる電流量が最も多い辺に設けられている配線の単位長さあたりの抵抗値は、他の辺に設けられている配線の単位長さあたりの抵抗値よりも小さいことを特徴とする。
【発明の効果】
【０００９】
本発明の表示装置によれば、表示部内の素子に共通に設けられた電極に接続された配線で生じる熱をより均一にすることができる。
【発明を実施するための最良の形態】
【００１０】
本発明の表示装置は、基板と、基板の上に設けられており複数の発光素子により形成されている表示部と、表示部の周囲において表示部の１辺に設けられている端子と、表示部の周囲において表示部の複数の辺に設けられている配線と、を有する。表示部とは、表示部に形成された複数の発光素子によって画像情報を表示する部分のことである。ただし表示部には、発光素子以外にも表示には寄与しない素子を有していてもよい。表示部の周囲とは、表示装置における表示部の周辺領域（額縁領域）のことである。
【００１１】
表示部に形成されている各発光素子は、基板の上に設けられている薄膜トランジスタと、薄膜トランジスタに接続されている第１電極と、第１電極の上に形成されている発光層と、発光層の上に形成されている第２電極と、を有する。
【００１２】
第１電極は、発光素子毎に独立して設けられており、発光素子毎に異なる電流を印加できるようになっている。一方、第２電極は発光素子の間を跨いで表示部内の複数の発光素子に連続して設けられている。第２電極は、複数の発光素子で同じ電位となるように設計されているが、第２電極が有する電気抵抗によって表示部の中央部分と周縁部分とでは電位差が生じる。それを低減するために表示部の周囲に、第２電極及び端子に接続されている配線が設けられている。
【００１３】
そして、本発明における表示装置では、複数の辺に設けられている配線のうち、配線を流れる電流量が最も多い辺に設けられている配線の単位長さあたりの抵抗値は、他の辺に設けられている配線の単位長さあたりの抵抗値よりも小さいことを特徴とする。端子に近づくほど配線を流れる電流量が増えるため、辺上の位置によって電流量が異なるが、本発明における配線を流れる電流量とは、配線の長尺方向に流れる電流値の平均値とする。また、長さとは各辺の配線における長尺方向の長さのことである。電流量が最も多い辺とは、複数の辺に設けられている配線のうち、１辺に設けられている配線であってもよいし、複数の辺で電流量が等しい場合には複数の辺に設けられている配線であってもよい。
【００１４】
ただし、実際の表示装置において配線を流れる電流量を測定することは困難である。一般的に端子が辺上の中央付近に設けられている場合には、端子のある辺における配線に流れる電流量が最も多いと言える。また、端子が辺上の端部付近に設けられている場合には、端子のある辺、または端子のある辺に対して端子側に隣り合う辺における配線に流れる電流量が最も多いと言える。いずれの電流量が多いかどうかは、表示部のアスペクト比、あるいは表示部内に設けられる第２の配線（補助配線）の設け方によって異なる。
【００１５】
本発明は、配線を流れる電流量に応じて配線の単位長さあたりの抵抗値を異ならせることにより、表示部内の素子に共通に設けられた電極に接続された配線で生じる熱をより均一にすることができる。そして、発熱により与えられる発光素子への影響をより均一にし、長時間に渡って表示部内でより均一な表示を可能にする。
【００１６】
以下、本発明の表示装置における実施形態について図面を参照して具体的に説明する。
【００１７】
（第１の実施形態）
図１は第１の実施形態に係る表示装置の平面模式図を示している。図１において、１は表示部、２はデータ線駆動回路、３は走査線駆動回路、４は入力回路、５は配線（共通配線）、６は接着領域、７は端子である。
【００１８】
図１に示す表示装置は、複数の発光素子がマトリクス状に配置された表示部１を有する。また、同一基板上に薄膜トランジスタによって構成され、Ｂ辺に配置され各発光素子に接続されたデータ線にデータ信号を供給するデータ線駆動回路２と、Ｃ辺に配置され各発光素子に接続された走査線に制御信号を供給する走査線駆動回路３を有する。映像信号や制御信号または電源を供給する端子７と、入力された制御信号を表示パネルの動作レベルに変換する入力回路４は、本実施の形態ではＤ辺に配置される。さらに、封止基板と表示部１を作成した基板とを貼り合わせて固着させるために設けられている接着領域６と、複数の発光素子の間を跨いで連続して形成されている第２電極に電気的に接続された配線（共通配線）５と、を有する。
【００１９】
図２に表示部１に構成される電流プログラミング型画素回路を示す。制御信号線Ｐ１，Ｐ２は接続された走査信号線駆動回路によって制御され、データ線駆動回路に接続されたデータ信号線Ｉ（ｄａｔａ）から電流データが入力される。発光素子の第１電極（本実施の形態では陽極）は、電源線Ｖｃｃと電流駆動薄膜トランジスタＭ１を介して接続されたスイッチング薄膜トランジスタＭ４に接続されている。また、接地電位ＣＧＮＤに接続された第２電極（本実施の形態では陰極）は複数の発光素子の間を跨いで共通に接続される。そして、第２電極は共通配線５に電気的に接続され、発光素子に流れる電流は共通配線５に流れることになる。なお、表示部１に構成される画素回路は前記画素回路に限定されるものではなく、その他の電流プログラミング型画素回路やデータ信号を電圧として入力される電圧プログラミング型画素回路にも適用ができる。
【００２０】
次に、共通配線５と各発光素子との接続について詳細に説明する。図３は、発光素子が形成する画素領域と第２電極との立体的な配置を説明する模式図である。図３において、９は発光層を発光素子毎に区分して概念的に示したものであり、１０は第２電極である。図２では第１電極、発光層、第２電極、及び接地電位ＣＧＮＤは画素回路内部に含めて記述してあるが、図３を用いてその立体的な配置を含めて説明する。簡単のため、データ線駆動回路２、走査線駆動回路３、入力回路４、接着領域６、端子部７は省略する。
【００２１】
表示部１には画素回路が形成されており、薄膜トランジスタと接続されている第１電極が形成されている。その第１電極上に画素配列に合わせて発光層９を形成し、第１電極と発光層９を接合する。それから発光層９の上に第２電極１０を形成している。第２電極１０は表示部１の周辺に配置された共通配線５の上にも形成される。その際、共通配線５上に絶縁層が形成される場合には、コンタクトホール（不図示）を形成して共通配線５の表面が露出される状態にする。この場合、第２電極１０と共通配線５のコンタクトホールを介しての接続は、全ての辺において接続する必要はない。このようにして第２電極１０と共通配線５は電気的な接続がされて、第２電極は接地される。なお、第２電極と共通配線５の電気的接続は、全ての辺において接続する必要はない。また、第１電極と第２電極はいずれが陰極であり陽極であっても良い。
【００２２】
発光素子を構成する発光層９は、有機ＥＬ材料であってもよいし、無機ＥＬ材料であってもよい。有機ＥＬ材料である場合には、配線の発熱による影響が顕著であるため、配線での発熱を均一にする工夫が特に求められる。なお、発光素子が有機ＥＬ素子である場合には、有機ＥＬ材料である発光層の他に、電子輸送層や正孔輸送層等のキャリア輸送層や、電子注入層や、正孔注入層等のキャリア注入層が設けられた構成であってもよい。
【００２３】
発光素子を構成する発光層９で発した光は第１電極および第２電極のいずれの電極を介して外部に取り出されてもよい。一般的には基板の上に設けられる薄膜トランジスタ等の画素回路を構成する回路素子を高密度で集積するために、第２電極から光を取り出す構成（トップエミッション構成）にすることが好ましい。この構成の場合、第２電極はＩＴＯやＩＺＯ等の透明導電材料、或いは光を十分透過するほどに薄い数ｎｍ〜３０ｎｍ程度の金属薄膜（Ａｌ、Ａｇ、Ｐｔ等）で形成される。第２電極は比較的抵抗が大きいため、表示部１内に形成された複数の発光素子で電位差が生じてしまう。それを低減するために、表示部の周囲における複数の辺に共通配線５を形成している。
【００２４】
次に、共通配線５の配置について説明する。
【００２５】
各発光素子の陽極と陰極との間を流れた電流は、複数の発光素子の間を跨いで連続して形成された第２電極（陰極）、共通配線５、端子７の順で流れていく。そして端子７は、Ｄ辺の中央付近に設けられている。つまり、本実施の形態では表示部１内の複数の発光素子に流れた電流が端子７に向かってＤ辺の共通配線５に電流が集中するため、Ｄ辺の共通配線を流れる電流量は最も多く、他の辺、即ちＡ辺・Ｂ辺・Ｃ辺の共通配線を流れる電流量よりも多いことになる。そこで、共通配線の単位長さあたりの抵抗値は、Ｄ辺が、Ａ辺・Ｂ辺・Ｃ辺よりも小さくなっている。Ａ辺・Ｂ辺・Ｃ辺の共通配線では、Ａ辺とＣ辺を流れる電流量が同じであり、Ｂ辺を流れる電流量が最も少なくなる。即ち、各辺の共通配線を流れる電流量Ｉの関係は、ＩＤ＞ＩＡ＝ＩＣ＞ＩＢとなる。
【００２６】
具体的に共通配線の単位長さあたりの抵抗値を辺によって異ならせるためには、種々の方法があるが、例えば、共通配線の幅、厚み、配線の材料の抵抗率を異ならせる方法がある。共通配線の幅を異ならせるとは、配線を流れる電流量が最も多い辺に設けられている配線の幅を、他の辺に設けられている配線の幅よりも広くすることである。また、共通配線の厚みを異ならせるとは、配線を流れる電流量が最も多い辺に設けられている配線の厚みを、他の辺に設けられている配線の厚みよりも厚くすることである。配線の材料の抵抗率を異ならせるとは、配線を流れる電流量が最も多い辺に設けられている配線の材料の抵抗率を、他の辺に設けられている配線の材料の抵抗率よりも低くすることである。あるいは、共通配線の幅、厚み、配線の材料の抵抗率等の複数を異ならせてもよい。
【００２７】
図１は、Ｄ辺の共通配線の幅を、Ａ辺・Ｂ辺・Ｃ辺の共通配線の幅よりも広くした例である。このように配線の幅によって単位長さあたりの抵抗値を異ならせる構成では、配線を流れる電流量が相対的に少ない辺の共通配線の幅を必要以上に広くしなくてもよいため、表示部の周辺領域（額縁領域）の幅を狭くできるようになる。表示装置を携帯電話やコンパクトカメラ等の携帯型の電子機器に搭載する場合には、特に狭額縁化が求められるため、共通配線の幅を辺によって異ならせることにより、表示部の均熱化だけでなく表示装置の狭額縁化を達成することができる。また、このような共通配線の形成は、パターニング領域を異ならせることでできるため、形成プロセスは従来の構成に比べてプロセス負荷が増えるものでもない。なお、図１の例では、共通配線の厚みや、材料の抵抗率はいずれの辺も同じ条件となっている。
【００２８】
また、配線の厚みによって単位長さあたりの抵抗値を異ならせる構成では、配線の幅を変えずに単位長さあたりの抵抗値を異ならせることができるため、配線を流れる電流量が最も多い辺（Ｄ辺）の配線の幅も狭くすることができる。そのため、より額縁領域を狭くすることができる。配線の厚みを辺によって異ならせる場合には、厚みを厚くする辺にのみ別の導電層を形成すれば、より簡単なプロセスで配線を形成することができる。この場合、配線を流れる電流量が最も多い辺に設けられている配線の層数は、他の辺に設けられている配線の層数よりも多くなる。
【００２９】
配線の材料の抵抗率によって単位長さあたりの抵抗値を異ならせる構成でも、配線の幅を変えずに単位長さあたりの抵抗値を異ならせることができるため、配線を流れる電流量が最も多い辺（Ｄ辺）の配線の幅も狭くすることができる。そのため、配線の厚みによって単位長さあたりの抵抗値を異ならせる構成と同様に額縁領域を狭くすることができる。
【００３０】
なお、図１に示す例では、Ａ辺、Ｂ辺、及びＣ辺の配線の幅が同一であり、単位長さあたりの抵抗値が同一であるが、配線を流れる電流量が多い辺に設けられている配線ほど単位長さあたりの抵抗値が小さくなるようにすることが好ましい。このようにした方が各辺の配線の発熱をより均等にすることができる。例えば、配線の幅によって抵抗値を異ならせる場合には、Ｄ辺の配線幅が最も広く、Ａ辺及びＣ辺が同じ幅であり、Ｂ辺の順で配線幅を狭くしていくことが好ましい。つまり、配線幅ｄの関係はｄＤ＞ｄＡ＝ｄＣ＞ｄＢとなる。
【００３１】
本発明に係る表示装置において、共通配線と第２電極との接続は、上述の通り配線の上に第２電極を直接形成して接続してもよいし、共通配線と第２電極との間に絶縁層等の別の構成物が設けられ、別の構成物に設けられたコンタクトホールを介して接続してもよい。いずれの構成においても、配線を流れる電流量が最も多い辺に設けられている共通配線と第２電極との接触面積は、電流をスムーズに行うために大きい方がよい。つまり、配線を流れる電流量が最も多い辺に設けられている配線における第２電極との接触面積は、他の辺に設けられている配線における第２電極との接触面積よりも大きいことが好ましい。
【００３２】
本実施の形態において、表示部の周囲に形成される共通配線５によって表示部内の複数の発光素子での電位差を低減できるものの、第２電極の抵抗が大きい場合には、電位差の低減が不十分な場合もある。この場合、図４に示すように、表示部１内における複数の発光素子の間に第２の配線８（補助配線）を設けることが好ましい。そして第２の配線８を設けることにより、表示部１内の中央付近と周縁付近とで、共通配線５及び第２の配線８で発する熱をより均一化することができる。なお、補助配線８に流れる電流量は共通配線５に流れる電流量よりも小さいため、第２の配線８の幅は、共通配線５の幅よりも狭くすることが好ましい。
【００３３】
表示部１内に形成された補助配線８は、例えば、図４（ａ）に示すように端子７が形成された辺とそれに対向する辺との間を結ぶように配置することができる。また、補助配線８の配設は図４（ａ）の構成に限られず、図４（ｂ）乃至（ｆ）に示すような構成にすることもできる。いずれの構成においても、表示部１内の中央付近と周縁付近とでの均熱化を達成することができる。また、補助配線８は表示部１内の一部にのみ形成してもよい。
【００３４】
なお、このように補助配線８を表示部１内に設ける場合、表示部周囲の各辺における共通配線５を流れる電流量は多少増減があるが、図４に示す構成では端子が設けられている辺における配線を流れる電流量が最も多いということは変わらない。
【００３５】
本発明に係る表示装置において、データ線駆動回路と走査線駆動回路は、図１に示すように一方が端子が形成されている辺の対辺に設けられており、他方が端子が形成されている辺に隣り合う辺に設けられていることが好ましい。データ線と走査線とは互いに交差する方向に配設されることが好ましいが、端子７が形成されている辺にいずれか一方を設けると、共通配線５の幅あるいは、共通配線と端子とを接続する配線（接続配線）の長さを駆動回路の幅の分長くする必要があるため、発熱量が増加してしまうからである。
【００３６】
さらに、本実施の形態においてデータ線駆動回路２、走査信号線駆動回路３、入力回路４は同一基板上に薄膜トランジスタで構成した例を示したが、別の構成であってもよい。例えば、各回路機能を単結晶Ｓｉ上に構成したドライバＩＣで実現し、表示装置外部から端子部を通じて信号を入力した構成としてもよい。さらには、ドライバＩＣをＣＯＧのように基板上に実装して、基板上で各回路機能を実現してもよい。この場合、ドライバＩＣをＡ辺の端子部７横のスペースに配置すれば、Ｂ辺のデータ線駆動回路２とＣ辺の走査線駆動回路３を削除できることになり、表示装置の額縁サイズをさらに低減させることができる。
【００３７】
（第２の実施の形態）
図５及び図６は第２の実施形態に係る表示装置の平面模式図を示している。具体的に、第１の実施形態との違いについて説明をする。
【００３８】
第１の実施の形態では共通配線５が表示部１の周囲の４辺に設けられている構成であったが、本実施の形態では、共通配線５が表示部１の周囲の４辺全てには形成されずに、一部の辺には設けられていない構成である。
【００３９】
図５の例は、表示部１の周囲において、共通配線５は３辺、即ち端子７のある辺（Ｄ辺）及びその両隣の２辺（Ａ辺、Ｃ辺）に設けられている。このとき配線５を流れる電流量が最も多い辺は、第１の実施の形態と同様に端子７が設けられている辺（Ｄ辺）である。
【００４０】
一方、図６の例は、表示部１の周囲において、共通配線５は２辺、即ち端子７のある辺（Ｄ辺）及びその片隣の１辺（Ａ辺）に設けられている。このときも配線５を流れる電流量が最も多い辺は、第１の実施の形態と同様に端子７が設けられている辺（Ｄ辺）である。
【００４１】
このように共通配線を設けない辺がある場合であっても、Ｂ辺に設けられた配線のように流れる電流量が極めて小さい場合には、４辺全てに設ける場合に比べて表示部１内の複数の発光素子における第２電極の電位差がほとんど変わらない。そして、共通配線を設けないことにより額縁領域をさらに狭くすることができる。さらに表示部１内に補助配線を設けることにより、第２電極の電位差を小さくすることができる。
【００４２】
なお、図５及び図６の例では、配線の幅によって配線の単位長さあたりの抵抗値を異ならせているが、本実施の形態でも第１の実施の形態と同様に、配線の厚み、配線の抵抗率など種々の方法により抵抗値を異ならせることができる。
【００４３】
（第３の実施の形態）
図７は、第３の実施の形態に係る表示装置の平面模式図を示している。具体的に、第１の実施形態との違いについて説明をする。
【００４４】
第１の実施の形態では端子７が長方形の表示部１に対して長辺に設けられている構成であったが、本実施の形態では、端子７が長方形の表示部１に対して短辺に設けられている構成である。このように短辺に端子７が形成されている場合であっても、配線５を流れる電流量が最も多い辺は、第１の実施の形態と同様に端子７が設けられている辺（Ａ辺）である。
【００４５】
そのため、Ａ辺の配線の単位長さあたりの抵抗値を、他の辺に設けられている配線の単位長さあたりの抵抗値よりも小さくすることにより、第１の実施形態と同等の効果を得ることができる。
【００４６】
また、第１の実施の形態と同様に、図８に示すように表示部１内における複数の発光素子の間に第２の配線（補助配線）を設けることができる。
【００４７】
表示装置を携帯電話やコンパクトカメラ等の携帯型電子機器に搭載する場合、表示部の長手方向の狭額縁化が要求され、パネル外部と接続される外部接続端子は短手方向に配置されることが多い。そこで本実施の形態では、端子７が長方形の表示部１に対して短辺に設けることが有効な構成である。
【００４８】
なお、図７の例では、配線の幅によって配線の単位長さあたりの抵抗値を異ならせているが、本実施の形態でも第１の実施の形態と同様に、配線の厚み、配線の抵抗率など種々の方法により抵抗値を異ならせることができる。
【００４９】
（第４の実施の形態）
図９及び図１０は、第４の実施の形態に係る表示装置の平面模式図を示している。具体的に、第２の実施形態との違いについて説明をする。
【００５０】
第２の実施の形態では端子７が長方形の表示部１に対して長辺に設けられている構成であったが、本実施の形態では、端子７が長方形の表示部１に対して短辺に設けられている構成である。このように短辺に端子７が形成されている場合であっても、配線５を流れる電流量が最も多い辺は、第１の実施の形態と同様に端子７が設けられている辺（Ａ辺）である。
【００５１】
そのため、Ａ辺の配線の単位長さあたりの抵抗値を、他の辺に設けられている配線の単位長さあたりの抵抗値よりも小さくすることにより、第２の実施形態と同等の効果を得ることができる。
【００５２】
なお、図９及び図１０の例では、配線の幅によって配線の単位長さあたりの抵抗値を異ならせているが、本実施の形態でも第１の実施の形態と同様に、配線の厚み、配線の抵抗率など種々の方法により抵抗値を異ならせることができる。
【００５３】
（第５の実施の形態）
図１１は第５の実施形態に係る表示装置の平面模式図を示している。具体的に、第１の実施形態との違いについて説明をする。
【００５４】
第１の実施形態と比較して、本実施形態ではＡ辺に配置された端子部７の位置がＤ辺に接近している。なかでも、共通配線５に接続される端子はＤ辺に配置される共通配線５に一番近い位置に配置された構成である。
【００５５】
この場合、配線５を流れる電流量が最も多い辺は、端子７が設けられている辺に対して端子側で隣り合っている辺（Ｄ辺）である。端子が設けられているＡ辺の配線の電流量はＢ辺、Ｃ辺に対して多いものの、Ａ辺の配線よりもＤ辺の配線の方が配線長が長いため、その分より多くの電流を集めるため、Ａ辺の配線よりもＤ辺の配線の方が電流量が多い。つまり、各辺の共通配線を流れる電流量Ｉの関係は、ＩＤ＞ＩＡ＞ＩＢ、ＩＣとなる。
【００５６】
このように、電流量が最も多い辺の抵抗値を相対的に小さくすることによって、配線を流れる電流量が相対的に少ない辺の共通配線の幅を必要以上に広くしなくてもよいため、表示部の周辺領域（額縁領域）の幅を狭くできるようになる。
【００５７】
また、図１１の例では、配線の幅によって配線の単位長さあたりの抵抗値を異ならせているが、本実施の形態でも第１の実施の形態と同様に、配線の厚み、配線の抵抗率など種々の方法により抵抗値を異ならせることができる。
【００５８】
また、本実施形態においても第１の実施形態と同様に、一部の辺に共通配線５を設けない構成、補助配線の配置パターンとの組み合わせによる構成においても、本発明の目的を達成できる。
【００５９】
（第６の実施の形態）
図１２は第６の実施形態に係る表示装置の概略図を示している。具体的に、第１の実施形態との違いについて説明をする。
【００６０】
第１の実施形態と比較して、共通配線はＣ辺を除く３辺に設けられており、さらにＡ辺に配置された端子部７の位置がＤ辺に接近している。なかでも、共通配線５に接続される端子はＤ辺に配置される共通配線５に一番近い位置に配置された構成である。
【００６１】
この場合、配線５を流れる電流量が最も多い辺は、端子７が設けられている辺に対して端子側で隣り合っている辺（Ｄ辺）である。端子が設けられているＡ辺の配線の電流量はＢ辺に対して多いものの、Ａ辺の配線よりもＤ辺の配線の方が配線長が長いため、その分より多くの電流を集めるため、Ａ辺の配線よりもＤ辺の配線の方が電流量が多い。つまり、各辺の共通配線を流れる電流量Ｉの関係は、ＩＤ＞ＩＡ＞ＩＢとなる。
【００６２】
このように、電流量が最も多い辺の抵抗値を相対的に小さくすることによって、配線を流れる電流量が相対的に少ない辺の共通配線の幅を必要以上に広くしなくてもよいため、表示部の周辺領域（額縁領域）の幅を狭くできるようになる。
【００６３】
なお、図１２に示す例では、Ａ辺、Ｂ辺の配線の幅が同一であり、単位長さあたりの抵抗値が同一であるが、配線を流れる電流量が多い辺に設けられている配線ほど単位長さあたりの抵抗値が小さくなるようにすることが好ましい。このようにした方が各辺の配線の発熱をより均等にすることができる。例えば、配線の幅によって抵抗値を異ならせる場合には、Ｄ辺の配線幅が最も広く、Ａ辺、Ｂ辺の順で配線幅を狭くしていくことが好ましい。つまり、配線幅ｄの関係はｄＤ＞ｄＡ＞ｄＢとなる。
【００６４】
また、図１２の例では、配線の幅によって配線の単位長さあたりの抵抗値を異ならせているが、本実施の形態でも第１の実施の形態と同様に、配線の厚み、配線の抵抗率など種々の方法により抵抗値を異ならせることができる。
【００６５】
また、本実施形態においても第１の実施形態と同様に、一部の辺に共通配線５を設けない構成、補助配線の配置パターンとの組み合わせによる構成においても、本発明の目的を達成できる。
【００６６】
（第７の実施の形態）
上記第１乃至第６の実施の形態の表示装置を用いて、情報表示装置を構成することができる。この情報表示装置は携帯電話、携帯コンピュータ、デジタルスチルカメラ、ビデオカメラ、テレビ受像機、携帯音楽再生装置、ナビゲーションシステム、ＰＣモニタのいずれかの形態をとる。もしくはそれらの各機能の複数を実現する装置である。
【００６７】
図１３は、デジタルスチルカメラシステムの一例のブロック図である。１１はデジタルスチルカメラシステム、１２は撮影部、１３は映像信号処理回路、１４は表示装置、１５はメモリ、１６はＣＰＵ、１７は操作部を示す。撮像部１２で撮影した映像または、メモリ１５に記録された映像を、映像信号処理回路１１で信号処理し、表示パネル１２で見ることができる。ＣＰＵ１６では、操作部１５からの入力によって、撮影部１２、メモリ１５、映像信号処理回路１３などを制御して、状況に適した撮影、記録、再生、表示を行う。また、表示装置１４は、この他にも各種電子機器の表示部として利用できる。
【００６８】
なお、上記の第１乃至第７の各実施の形態において、ＥＬ素子を用いた表示装置を例に挙げて説明したが、それに限らず、例えばＰＤＰ（Ｐｌａｓｍａ  Ｄｉｓｐｌａｙ  Ｐａｎｅｌ）やＦＥＤ（Ｆｉｅｌｄ  Ｅｍｉｓｓｉｏｎ  Ｄｉｓｐｌａｙ）等の電流駆動型表示装置に適用可能である。
【図面の簡単な説明】
【００６９】
【図１】本発明の第１の実施の形態に係る表示装置の一例を示す平面模式図。
【図２】発光素子を含んだ電流設定方式の画素回路の一例を示す図。
【図３】発光素子と第２電極の立体的な配置を説明する概念図。
【図４】本発明の第１の実施の形態に係る表示装置において補助配線を有する例を示す平面模式図。
【図５】本発明の第２の実施の形態に係る表示装置の一例を示す平面模式図。
【図６】本発明の第２の実施の形態に係る表示装置の他の例を示す平面模式図。
【図７】本発明の第３の実施の形態に係る表示装置の一例を示す平面模式図。
【図８】本発明の第３の実施の形態に係る表示装置において補助配線を有する例を示す平面模式図。
【図９】本発明の第４の実施の形態に係る表示装置の一例を示す平面模式図。
【図１０】本発明の第４の実施の形態に係る表示装置の他の例を示す平面模式図。
【図１１】本発明の第５の実施の形態に係る表示装置の一例を示す平面模式図。
【図１２】本発明の第６の実施の形態に係る表示装置の一例を示す平面模式図。
【図１３】本発明の第７の実施の形態に係るデジタルスチルカメラシステムの全体構成を示すブロック図。
【符号の説明】
【００７０】
１  表示部
２  データ線駆動回路
３  走査線駆動回路
４  入力回路
５  共通配線
６  接着領域
７  端子
８  補助配線
９  発光層
１０  第２電極
１１  デジタルスチルカメラシステム
１２  撮影部
１３  映像信号処理回路
１４  表示装置
１５  メモリ
１６  ＣＰＵ
１７  操作部
【図１】
2009277985.tif 000003
【図２】
2009277985.tif 000004
【図３】
2009277985.tif 000005
【図４】
2009277985.tif 000006
【図５】
2009277985.tif 000007
【図６】
2009277985.tif 000008
【図７】
2009277985.tif 000009
【図８】
2009277985.tif 000010
【図９】
2009277985.tif 000011
【図１０】
2009277985.tif 000012
【図１１】
2009277985.tif 000013
【図１２】
2009277985.tif 000014
【図１３】
2009277985.tif 000015